(57)【特許請求の範囲】
【請求項１】
フロントキャビネット(１)とバックキャビネット(２)からなる筐体(10)の内部に、平面型表示パネルと、該平面型表示パネルをフロントキャビネットに取り付けるためのブラケット機構と、該平面型表示パネルに画像を表示するための電子回路が搭載された回路基板とを配備して構成される画像表示装置において、
前記平面型表示パネルは、液晶表示パネル(４)によって構成され、
前記ブラケット機構は、フロントキャビネット(１)との間に前記平面型表示パネルを挟持する樹脂ブラケット(５)と、該樹脂ブラケット(５)の背面に設置された平板状アース金具(７)とから構成され、該平板状アース金具(７)は前記回路基板と対向して、前記回路基板に形成されているグランド部と電気的に接続されると共に、該平板状アース金具(７)と前記平面型表示パネルの背面に設けられている導電性背面板(41)とが、導電性弾性部材(71)を介して互いに電気的に接続されていることを特徴とする画像表示装置。
【請求項２】
フロントキャビネット(１)とバックキャビネット(２)からなる筐体(10)の内部に、平面型表示パネルと、該平面型表示パネルをフロントキャビネットに取り付けるためのブラケット機構と、該平面型表示パネルに画像を表示するための電子回路が搭載された回路基板とを配備して構成される画像表示装置において、
前記ブラケット機構は、フロントキャビネット(１)との間に前記平面型表示パネルを挟持する樹脂ブラケット(５)と、該樹脂ブラケット(５)の背面に設置された平板状アース金具(７)とから構成され、
前記平板状アース金具(７)は複数箇所にてフック(50)により樹脂ブラケット(５)に取り付けられており、
前記平板状アース金具(７)は前記回路基板と対向して、前記回路基板に形成されているグランド部と電気的に接続されると共に、該平板状アース金具(７)と前記平面型表示パネルの背面に設けられている導電性背面板(41)とが、導電性弾性部材(71)を介して互いに電気的に接続されていることを特徴とする画像表示装置。
【請求項３】
前記導電性弾性部材(71)は、略均一厚さのブロック状を呈して、その厚さ方向に弾性と導電性を有している請求項１又は請求項２に記載の画像表示装置。
【請求項４】
前記樹脂ブラケット(５)には、１或いは複数の開口(53)が形成され、前記導電性弾性部材(71)は、樹脂ブラケット(５)の開口(53)を貫通して、平板状アース金具(７)と平面型表示パネルの導電性背面板(41)との間に介在している請求項１乃至請求項３の何れかに記載の画像表示装置。
【請求項５】
前記平板状アース金具(７)は、前記回路基板と略同一の外形を有して、前記回路基板の表面の略全域を覆っている請求項１乃至請求項４の何れかに記載の画像表示装置。
【発明の詳細な説明】
【技術分野】
【０００１】
本発明は、液晶表示パネルやプラズマ表示パネル等の平面型表示パネルを具えた画像表示装置に関するものである。
【背景技術】
【０００２】
この種の平面型の画像表示装置においては、薄型の筐体の内部に平面型表示パネルが収容され、該平面型表示パネルの背面側には、該平面型表示パネルを駆動するための回路基板が配置されている(特許文献１参照)。
【０００３】
例えば、液晶ディスプレイ(ＬＣＤ)を具えたテレビジョン受像機においては、図１３に示す如く、フロントキャビネット(１)とバックキャビネット(２)の間に、液晶表示パネル(４)と、該液晶表示パネル(４)に画像を表示するためのテレビジョン放送受信回路等を搭載した回路基板(60)とが収容され、図１２の如く２本の金属アーム(91)(91)を用いて液晶表示パネル(４)がフロントキャビネット(１)に取り付けられている。又、２本の金属アーム(91)(91)に固定された金属ブラケット(９)の背面には、回路基板(60)が、複数本のビス(80)を用いて固定されている。
【０００４】
該テレビジョン受像機においては、回路基板(60)のグランドパターン(図示省略)が金属ブラケット(９)に接続されると共に、該金属ブラケット(９)が液晶表示パネル(４)の背面に設けられている導電性背面板(41)に接続されることによって、回路基板(６)のグランドパターンが液晶表示パネル(４)の導電性背面板(41)と導通して、回路基板(６)が導電性背面板(41)によって構成されるグランド電位部に接地されることとなり、これによってＥＭＣ(Electro-Magnetic  Compatibility)性能が確保されている。
【特許文献１】特開２００４−３１７９１９号公報［G09F9/00］
【発明の開示】
【発明が解決しようとする課題】
【０００５】
しかしながら、図１２及び図１３に示す従来のテレビジョン受像機においては、金属ブラケット(９)及び２本の金属アーム(91)(91)が用いられているため、重量の増大、部品点数の増加を招く問題があった。又、液晶表示パネル(４)の機種毎に金属ブラケット(９)や金属アーム(91)を設計する必要があり、コストアップを招く問題があった。
これらの問題を解決するために金属ブラケット(９)を樹脂製のブラケットに変更することが考えられるが、これによってＥＭＣ性能の確保が困難となる問題が生じる。
【０００６】
そこで本発明の目的は、樹脂ブラケットの採用によっても充分なＥＭＣ性能を確保することが出来る画像表示装置を提供することである。
【課題を解決するための手段】
【０００７】
本発明に係る画像表示装置は、フロントキャビネット(１)とバックキャビネット(２)からなる筐体(10)の内部に、平面型表示パネルと、該平面型表示パネルをフロントキャビネットに取り付けるためのブラケット機構と、該平面型表示パネルに画像を表示するための電子回路が搭載された回路基板とを配備して構成されている。
ここで、前記ブラケット機構は、フロントキャビネット(１)との間に前記平面型表示パネルを挟持する樹脂ブラケット(５)と、該樹脂ブラケット(５)の背面に設置された平板状アース金具(７)とから構成され、該平板状アース金具(７)は複数箇所にてフック(50)により樹脂ブラケット(５)に取り付けられている。
又、前記平板状アース金具(７)は前記回路基板と対向して、前記回路基板に形成されているグランド部と電気的に接続されると共に、該平板状アース金具(７)と前記平面型表示パネルの背面に設けられている導電性背面板(41)とが、導電性弾性部材(71)を介して互いに電気的に接続されている。
【０００８】
上記本発明の画像表示装置においては、回路基板のグランド部が平板状アース金具(７)及び導電性弾性部材(71)を介して、平面型表示パネルの背面に設けられている導電性背面板に接続されることにより、回路基板のグランド部が平面型表示パネルの導電性背面板と導通して、回路基板が接地されることとなり、これによってＥＭＣ性能が確保される。
【０００９】
ここで、樹脂ブラケット(５)は、複雑な形状であっても樹脂成型により比較的容易に作製することが出来るので、平面型表示パネルの機種毎に形状を変更したとしても大きなコストアップを招くことはない。又、平面型表示パネルの機種に応じて樹脂ブラケット(５)の形状を変更すれば、平板状アース金具(７)は、平面型表示パネルの機種に拘わらず共通で且つ単純な形状に設計することが出来る。従って、樹脂ブラケット(５)及び平板状アース金具(７)の製造コストは、従来の金属ブラケットの製造コストよりも低いものとなる。
【００１０】
具体的構成において、前記導電性弾性部材(71)は、略均一厚さのブロック状を呈して、その厚さ方向に弾性と導電性を有している。
そして、前記樹脂ブラケット(５)には、１或いは複数の開口(53)が形成され、前記導電性弾性部材(71)は、樹脂ブラケット(５)の開口(53)を貫通して、平板状アース金具(７)と平面型表示パネルの導電性背面板(41)との間に介在している。
該具体的構成によれば、導電性弾性部材(71)が平板状アース金具(７)と平面型表示パネルの導電性背面板(41)との間に挟圧されて、厚さ方向に弾性収縮し、その弾性反発力によって導電性弾性部材(71)と導電性背面板(41)との間の電気的接続は確実なものとなる。
【００１１】
更に具体的な構成において、前記平板状アース金具(７)は、前記回路基板と略同一の外形を有して、前記回路基板の表面の略全域を覆っている。
該具体的構成によれば、平板状アース金具(７)によって回路基板に対する電磁シールドが施されることになる。
【発明の効果】
【００１２】
本発明に係る画像表示装置によれば、充分なＥＭＣ性能を確保すると同時にコストダウンを図ることが出来る。
【発明を実施するための最良の形態】
【００１３】
以下、本発明を液晶表示テレビジョン受像機に実施した形態につき、図面に沿って具体的に説明する。
本発明に係る液晶表示テレビジョン受像機は、図１に示す如くフロントキャビネット(１)及びバックキャビネット(２)からなる薄型の筐体(10)を具え、該筐体(10)をスタンド(３)によって自立させることが可能となっている。
【００１４】
フロントキャビネット(１)の背面には、図４及び図５に示す如く、液晶表示パネル(４)が設置され、該液晶表示パネル(４)は樹脂ブラケット(５)によってフロントキャビネット(１)に取り付けられている。又、フロントキャビネット(１)の背面には左右一対のスピーカ(11)(11)が取り付けられている。
【００１５】
樹脂ブラケット(５)は、複数の開口(53)を有して、全体が枠体状に形成されている。又、樹脂ブラケット(５)は、その上端部に上方へ突出する２本のアーム状の取付け部(51)(51)を具えると共に、下端部には下方へ突出する板状の取付け部(52)を具え、これらの取付け部(51)(51)(52)をフロントキャビネット(１)にビス止めすることによって、フロントキャビネット(１)と樹脂ブラケット(５)の間に液晶表示パネル(４)が挟持されている。
【００１６】
該樹脂ブラケット(５)の背面には、板金製の平板状アース金具(７)が設置され、図６に示す如く平板状アース金具(７)は複数箇所にてフック(50)により樹脂ブラケット(５)に取り付けられている。斯くして、樹脂ブラケット(５)と平板状アース金具(７)により、従来の板金ブラケットに相当するブラケット機構が構成されている。
平板状アース金具(７)には、開口(73)が形成されると共に、該開口(73)の周囲には、後方へ向けて複数の金属ボス(72)が突設されている。
【００１７】
図４の如く、平板状アース金具(７)の背面には、テレビジョン放送受信回路等が搭載されたメイン回路基板(６)と、複数の入出力端子が配備されているサブ回路基板(８)とが取り付けられている。サブ回路基板(８)には、複数の入出力端子を臨出させる複数の孔が開設されたパネル(81)が連結されている。又、樹脂ブラケット(５)の背面には、電源モジュール(63)が取り付けられている。
尚、メイン回路基板(６)、サブ回路基板(８)及び電源モジュール(63)は、図２及び図３に示す如く複数本のビスを用いて、樹脂ブラケット(５)に対して締結されている。
【００１８】
液晶表示パネル(４)は、図５の如くその背面に金属板からなる導電性背面板(41)を具えており、該導電性背面板(41)によって液晶表示パネル(４)自体のＥＭＣ性能を確保している。
回路基板(６)には、前記平板状アース金具(７)の各金属ボス(72)に対向させて、図１１の如くビス孔(61)を包囲するグランドパターン(62)が形成されている。
【００１９】
又、平板状アース金具(７)の表面には、図７に示す如く、樹脂ブラケット(５)の開口(53)から露出する位置と、樹脂ブラケット(５)の側方から露出する位置にそれぞれ、導電性弾性部材(71)が貼り付けられている。導電性弾性部材(71)は、弾性と導電性を有する材料から形成され、略均一厚さの直方体状を呈している。
【００２０】
液晶表示テレビジョン受像機の組立状態で、導電性弾性部材(71)は、図８、図９及び図１０に示す如く、その厚さ方向に弾性収縮した状態で平板状アース金具(７)と液晶表示パネル(４)の導電性背面板(41)との間に介在し、その弾性反発力によって導電性背面板(41)に押し付けられている。これによって、平板状アース金具(７)と導電性背面板(41)の間の電気的接続を施している。
【００２１】
又、図１０に示す如く、平板状アース金具(７)に突設された金属ボス(72)は、その先端面がメイン回路基板(６)に形成されている前記グランドパターン(62)に圧接されて、平板状アース金具(７)とメイン回路基板(６)のグランドパターン(62)との間の電気的接続を施している。
この結果、メイン回路基板(６)のグランドパターン(62)は平板状アース金具(７)及び導電性弾性部材(71)を介して液晶表示パネル(４)の導電性背面板(41)に電気接続され、メイン回路基板(６)が導電性背面板(41)と導通して、グランド電位に保持される。これによって、メイン回路基板(６)のＥＭＣ性能が確保される。
【００２２】
上述の如く、本発明の液晶表示テレビジョン受像機においては、従来の金属ブラケットに代えて樹脂ブラケット(５)を採用しているので、軽量化や製造コストの低減を図ることが出来、然も、平板状アース金具(７)及び導電性弾性部材(71)を用いたグランド構造の採用によって充分なＥＭＣ性能を確保することが出来る。
【００２３】
又、樹脂ブラケット(５)は、複雑な形状であっても樹脂成型により比較的容易に作製することが出来るので、液晶表示パネル(４)の機種毎に形状を変更したとしても大きなコストアップを招くことはない。又、液晶表示パネル(４)の機種に応じて樹脂ブラケット(５)の形状を変更すれば、平板状アース金具(７)は、液晶表示パネル(４)の機種に拘わらず共通で且つ単純な形状に設計することが出来る。従って、樹脂ブラケット(５)及び平板状アース金具(７)の製造コストは、従来の金属ブラケットの製造コストよりも低いものとなる。
【００２４】
更に又、平板状アース金具(７)は、メイン回路基板(６)と略同一の外形に形成されて、メイン回路基板(６)を略全域に亘って覆っているので、メイン回路基板(６)に対する電磁シールドの機能を発揮する。これによって、ノイズの低減が図られる。
【００２５】
尚、本発明の各部構成は上記実施の形態に限らず、特許請求の範囲に記載の技術的範囲内で種々の変形が可能である。例えば導電性弾性部材(71)は、上述の構成に限らず、平板状アース金具(７)と液晶表示パネル(４)の導電性背面板(41)とを互いに接続するものあれば、周知の種々の構成を採用することが出来る。又、導電性弾性部材(71)の個数も必要に応じて変更することが出来る。
更に本発明は、液晶表示テレビジョン受像機に限らず、平面型表示パネルを具えた種々の画像表示装置に実施することが可能である。
【図面の簡単な説明】
【００２６】
【図１】本発明に係る液晶表示テレビジョン受像機の斜視図である。
【図２】バックキャビネットを取り外した状態を示す背面図である。
【図３】更にサブ回路基板を取り外した状態を示す背面図である。
【図４】該液晶表示テレビジョン受像機の正面側から見た分解斜視図である。
【図５】該液晶表示テレビジョン受像機の背面側から見た分解斜視図である。
【図６】樹脂ブラケットに平板状アース金具が取り付けられている状態を背面側から見た斜視図である。
【図７】同上の状態を正面側から見た斜視図である。
【図８】樹脂ブラケットに対するメイン回路基板及びサブ回路基板の組立状態を示す一部破断斜視図である。
【図９】同上の組立状態を他の方向から見た一部破断斜視図である。
【図１０】平板状アース金具及び導電性弾性部材によるメイン回路基板と液晶表示パネルの電気的接続状態を示す断面図である。
【図１１】メイン回路基板に形成されているグランドパターンを示す正面図である。
【図１２】従来の液晶表示テレビジョン受像機においてフロントキャビネットに液晶表示パネル及び回路基板が取り付けられた状態を示す斜視図である。
【図１３】従来の液晶表示テレビジョン受像機の分解斜視図である。
【符号の説明】
【００２７】
(10)  筐体
(１)  フロントキャビネット
(２)  バックキャビネット
(４)  液晶表示パネル
(41)  導電性背面板
(５)  樹脂ブラケット
(６)  メイン回路基板
(62)  グランドパターン
(７)  平板状アース金具
(71)  導電性弾性部材
(８)  サブ回路基板
【図１】
0004884334.tif 000002
【図２】
0004884334.tif 000003
【図３】
0004884334.tif 000004
【図４】
0004884334.tif 000005
【図５】
0004884334.tif 000006
【図６】
0004884334.tif 000007
【図７】
0004884334.tif 000008
【図８】
0004884334.tif 000009
【図９】
0004884334.tif 000010
【図１０】
0004884334.tif 000011
【図１１】
0004884334.tif 000012
【図１２】
0004884334.tif 000013
【図１３】
0004884334.tif 000014